【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
複数のユーザ・ノードであって、それぞれのユーザ・ノードがリモート・アプリケーション・プログラムからデータを受信するためのユーザ・ノードであって、該データが、該リモート・アプリケーション・プログラムと機能的に関連付けられる中央アプリケーション・プログラムへの通信のためのメッセージ・データを含む、複数のユーザ・ノードと、
複数の地理的に分散されたゲートウェイ・ノードと、
該複数のユーザ・ノードの少なくとも１つから第１の通信インターフェースを介して該メッセージ・データを受信し、該複数の地理的に分散されたゲートウェイ・ノードのうち１つまたは複数に第２の通信インターフェースを介して該メッセージ・データを通信するための１つまたは複数のアクセス・ノードと、ここで、前記第１の通信インターフェースおよび前記第２の通信インターフェースの少なくとも１つが、ＶＨＦ（３０〜３００ＭＨｚ）帯域インターフェースであるか、またはＵＨＦ（３００ＭＨｚ〜１ＧＨｚ）帯域インターフェースであり、
該中央アプリケーション・プログラムへの通信のための該メッセージ・データを受信するために該複数の地理的に分散されたゲートウェイ・ノードのうち該１つまたは複数と通信するためのハブとを含み、
前記複数の地理的に分散されたゲートウェイ・ノードおよび／または前記複数のユーザ・ノードのうち少なくとも１つは、１つ以上の他のゲートウェイ・ノードおよび前記複数のユーザ・ノードの少なくとも１つとの通信サービスをサポートするためにアクセス・ノードとして再構成可能であり、および、他のアクセス・ノードの場所の知識、他のアクセス・ノードの存在を検出すること若しくは前記ハブから開始される集中型モード制御命令のいずれかによって、アクセス・ノード機能の提供とゲートウェイ・ノード機能の提供との間でモードを切り換えるように構成される、通信システム。
【請求項２】
前記複数の地理的に分散されたゲートウェイ・ノードおよび前記複数のユーザ・ノードの少なくとも１つが、低電力ノードである、請求項１に記載の通信システム。
【請求項３】
前記低電力ノードが５ワット未満の等価等方輻射電力（ＥＩＲＰ）を有する、請求項２に記載の通信システム。
【請求項４】
前記第１の通信インターフェースおよび／または前記第２の通信インターフェースが同じ周波数帯域を共有する、請求項１から３のいずれか一項に記載の通信システム。
【請求項５】
前記複数の地理的に分散されたゲートウェイ・ノードおよび／または前記複数のユーザ・ノードのうち少なくとも１つが、アクセス・ノードとして再構成可能であり、ソフトウェア無線を使用して実装される、請求項１から４のいずれか一項に記載の通信システム。
【請求項６】
前記リモート・アプリケーション・プログラムがセンサ・ネットワーク・アプリケーション・プログラムを含み、前記メッセージ・データが、前記リモート・アプリケーション・プログラムと通信するセンサ・ネットワークの１つまたは複数のセンサからのセンサ・データを含む、請求項１から５のいずれか一項に記載の通信システム。
【請求項７】
前記１つまたは複数のアクセス・ノードのうち少なくとも１つが、
ａ．衛星ベースのアクセス・ノード、
ｂ．セルラー基地局、または
ｃ．ワイヤレス・アクセス・ポイント
をさらに含む、請求項１から６のいずれか一項に記載の通信システム。
【請求項８】
前記ユーザ・ノードが、前記１つまたは複数のアクセス・ノードが前記ユーザ・ノードとの通信に使用可能でないときは、前記リモート・アプリケーション・プログラムから受信した前記メッセージ・データを記憶し、前記ユーザ・ノードとの通信に使用可能であるときは、該記憶されたメッセージ・データを前記アクセス・ノードのうち１つまたは複数に転送する、請求項１から７のいずれか一項に記載の通信システム。
【請求項９】
前記アクセス・ノードが、前記１つまたは複数の地理的に分散されたゲートウェイ・ノードのいずれも前記アクセス・ノードとの通信に使用可能でないときは、前記ユーザ・ノードから受信した前記メッセージ・データを記憶し、前記アクセス・ノードとの通信に使用可能であるときは、該記憶されたメッセージ・データを前記１つまたは複数の地理的に分散されたゲートウェイ・ノードのうち少なくとも１つに転送する、請求項１から１０のいずれか一項に記載の通信システム。
【請求項１０】
前記アクセス・ノードが、前記ユーザ・ノードから受信した前記メッセージ・データを操作するために実行可能なアプリケーション・プログラムを含み、前記複数の地理的に分散されたゲートウェイ・ノードのうち前記１つまたは複数に通信された前記メッセージ・データが、操作されたメッセージ・データを含む、請求項９に記載の通信システム。
【請求項１１】
前記１つまたは複数のアクセス・ノード、前記ユーザ・ノード若しくは前記１つまたは複数の地理的に分散されたゲートウェイ・ノードのうち少なくとも１つがソフトウェア無線を含む、請求項１から８のいずれか一項に記載の通信システム。
【請求項１２】
１つまたは複数のリモート・アプリケーション・プログラムと機能的に関連付けられた中央アプリケーション・プログラムと、
複数のユーザ・ノードであって、それぞれのユーザ・ノードがリモート・アプリケーション・プログラムからデータを受信するためのユーザ・ノードであって、該データが、該リモート・アプリケーション・プログラムと機能的に関連付けられる中央アプリケーション・プログラムへの通信のためのメッセージ・データを含む、複数のユーザ・ノードと、
複数の地理的に分散されたゲートウェイ・ノードと、
該１つまたは複数のリモート・アプリケーション・プログラムへの通信のために該中央アプリケーション・プログラムからデータを受信し、該受信されたデータを、該複数の地理的に分散されたゲートウェイ・ノードのうち選択された１つまたは複数に通信するためのハブと、
第１の通信インターフェースを使用して該地理的に分散されたゲートウェイ・ノードのうち該選択された１つまたは複数から該データを受信し、該受信されたデータを、第２の通信インターフェースを使用して該１つまたは複数のリモート・アプリケーション・プログラムに通信するための１つまたは複数のアクセス・ノードとを含み、
前記第１の通信インターフェースおよび前記第２の通信インターフェースの少なくとも１つが、ＶＨＦ（３０〜３００ＭＨｚ）帯域インターフェースであるか、またはＵＨＦ（３００ＭＨｚ〜１ＧＨｚ）帯域インターフェースであり、
前記複数の地理的に分散されたゲートウェイ・ノードおよび／または前記複数のユーザ・ノードのうち少なくとも１つは、１つ以上の他のゲートウェイ・ノードおよび前記複数のユーザ・ノードの少なくとも１つとの通信サービスをサポートするためにアクセス・ノードとして再構成可能であり、および、他のアクセス・ノードの場所の知識、他のアクセス・ノードの存在を検出すること若しくは前記ハブから開始される集中型モード制御命令のいずれかによって、アクセス・ノード機能の提供とゲートウェイ・ノード機能の提供との間でモードを切り換えるように構成される、通信システム。
【請求項１３】
前記複数の地理的に分散されたゲートウェイ・ノードおよび／または前記複数のユーザ・ノードのうち少なくとも１つが、低電力ノードである、請求項１２に記載の通信システム。
【請求項１４】
前記低電力ノードが５ワット未満の等価等方輻射電力（ＥＩＲＰ）を有する、請求項１３に記載の通信システム。
【請求項１５】
前記第１の通信インターフェースおよび／または前記第２のインターフェースが同じ周波数帯域を共有する、請求項１２から１４のいずれか一項に記載の通信システム。
【請求項１６】
前記少なくとも１つの地理的に分散されたゲートウェイ・ノードおよび／または前記複数のユーザ・ノードが、１つまたは複数の他のゲートウェイ・ノードおよび／またはユーザ・ノードとの通信サービスをサポートするためにアクセス・ノードとして再構成可能であり、ソフトウェア無線を使用して実装される、請求項１２から１５のいずれか一項に記載の通信システム。
【請求項１７】
前記１つまたは複数のアクセス・ノードのうち少なくとも１つが、
ａ．衛星ベースのアクセス・ノード、
ｂ．セルラー基地局、または
ｃ．ワイヤレス・アクセス・ポイント
のうち１つをさらに含む、請求項１２から１６のいずれか一項に記載の通信システム。
【請求項１８】
前記地理的に分散されたゲートウェイ・ノードのうち前記選択された１つが、待ち時間を減少させるために前記１つまたは複数の地理的に分散されたゲートウェイのそれぞれおよび前記１つまたは複数のアクセス・ノードのそれぞれに関連付けられた地理情報に従って前記ハブによって選択される、請求項１２から２７のいずれか一項に記載の通信システム。
【請求項１９】
前記地理的に分散されたゲートウェイ・ノードのうち前記選択された１つが、負荷分散を管理するために前記ハブによって選択される、請求項１８に記載の通信システム。
【請求項２０】
複数のユーザ・ノードであって、それぞれのユーザ・ノードがリモート・アプリケーション・プログラムからデータを受信するユーザ・ノードであって、該データが、該リモート・アプリケーション・プログラムと機能的に関連付けられる中央アプリケーション・プログラムへの通信のためのメッセージ・データを含む、ユーザ・ノードと、
該ユーザ・ノードから第１の通信インターフェースを介して該メッセージ・データを受信し、複数の地理的に分散されたゲートウェイ・ノードのうち１つまたは複数に第２の通信インターフェースを介して該メッセージ・データを通信する１つまたは複数のアクセス・ノードと、ここで、前記第１の通信インターフェースおよび前記第２の通信インターフェースの少なくとも１つが、ＶＨＦ（３０〜３００ＭＨｚ）帯域インターフェースであるか、またはＵＨＦ（３００ＭＨｚ〜１ＧＨｚ）帯域インターフェースであり、
該中央アプリケーション・プログラムへの通信のための該メッセージ・データを受信するために該複数の地理的に分散されたゲートウェイ・ノードのうち１つまたは複数と通信するハブとを含み、
前記複数の地理的に分散されたゲートウェイ・ノードおよび／または前記複数のユーザ・ノードのうち少なくとも１つは、１つ以上の他のゲートウェイ・ノードおよび前記複数のユーザ・ノードの少なくとも１つとの通信サービスをサポートするためにアクセス・ノードとして再構成可能であり、および、他のアクセス・ノードの場所の知識、他のアクセス・ノードの存在を検出すること若しくは前記ハブから開始される集中型モード制御命令のいずれかによって、アクセス・ノード機能の提供とゲートウェイ・ノード機能の提供との間でモードを切り換えるように構成される、通信の方法。
【請求項２１】
複数の地理的に分散されたゲートウェイ・ノードを提供すること、
１つまたは複数のリモート・アプリケーション・プログラムへの通信をための中央アプリケーション・プログラムから、ハブによってデータを受信すること、および受信した前記データを、選択された前記１つまたは複数の地理的に分散されたゲートウェイ・ノードへ通信すること、
１つまたは複数のアクセス・ノードが、第１の通信インターフェースを使用し前記選択された１つまたは複数の地理的に分散されたゲートウェイ・ノードからデータを受信し、および、第２の通信インターフェースを使用し前記１つまたは複数のリモート・アプリケーション・プログラムへ受信した前記データを通信すること、ここで、前記第１の通信インターフェースおよび前記第２の通信インターフェースの少なくとも１つが、ＶＨＦ（３０〜３００ＭＨｚ）帯域インターフェースであるか、またはＵＨＦ（３００ＭＨｚ〜１ＧＨｚ）帯域インターフェースであり、
前記複数の地理的に分散されたゲートウェイ・ノードのうち少なくとも１つが、アクセス・ノード機能の提供とゲートウェイ・ノード機能の提供との間でモードを切り換えること、ここで、モード切り換えが、他のアクセス・ノードの場所の知識、他のアクセス・ノードの存在を検出すること若しくは前記ハブから開始される集中型モード制御命令のいずれかによって実行されることを含む、通信の方法。
【請求項２２】
前記１つまたは複数のアクセス・ノードが、衛星ベースのアクセス・ノードを含む、請求項２１に記載の方法。
【請求項２３】
前記地理的に分散されたゲートウェイ・ノードの選択が、前記１つまたは複数のアクセス・ノードの実際のまたは予想される地理的位置を示す地理情報に基づくものである、請求項２１に記載の方法。
【請求項２４】
前記複数の地理的に分散されたゲートウェイ・ノードのそれぞれが少なくとも１つの全方向性アンテナを含む、請求項１に記載の通信システム。
【請求項２５】
前記地理的に分散されたゲートウェイ・ノードが、通信インターフェースを介して前記ハブに直接接続される、請求項１に記載の通信システム。
【請求項２６】
前記アクセス・ノードのうち少なくとも１つが、通信インターフェースを介して前記ハブに直接接続される、請求項１に記載の通信システム。
【請求項２７】
前記リモート・アプリケーション・プログラムおよび前記中央アプリケーション・プログラムのうち少なくとも１つを実行するための１つまたは複数の保護されたアプリケーション環境をさらに含む、請求項１に記載の通信システム。
【請求項２８】
ａ．物理層（ＰＨＹ）と、
ｂ．メディア・アクセス制御層（ＭＡＣ）と、
ｃ．メッセージ・ネットワーキング層（ＭＮＬ）と、
ｄ．アプリケーション層と、を含むプロトコル・スタック構造をさらに含む、
前記メッセージ・ネットワーキング層が、送信元と宛先との間で複数のリンク層にわたってユーザ・メッセージを運搬するためのネットワーキングおよび運搬機構を提供する、請求項１に記載の通信システム。